(57)【要約】【課題】  空気調和機の室内機は、空気中に塵埃を多く含む室内において長時間の冷房又は暖房運転を行う場合、エアフィルタに付着する塵埃が多くなり、いわゆるエアフィルタが目詰まりした状態で冷房又は暖房運転を行うこととなる。これにより送風機の送風効率が低下し、空気調和機の性能低下に繋がる。【解決手段】  室内熱交換器と、室内の空気を吸込んで室内熱交換器に送風する送風機と、送風機の吸込側に設けられ塵埃を集塵するためのエアフィルタと、エアフィルタに集塵された塵埃を除去する塵埃除去ユニットを備えた空気調和機の室内機において、塵埃除去ユニットへの送風を遮断する遮蔽手段を備え、送風機による送風を行いつつエアフィルタの塵埃除去運転を行う。【選択図】図４
2013213604.tif 000002
【特許請求の範囲】
【請求項１】
室内の空気を吸込んで送風する送風機と、
前記送風機の吸込み側に設けられ塵埃を集塵するための略矩形状のフレームを備えたエアフィルタと、
前記エアフィルタの左右方向に懸架された、長手方向を有する塵埃除去ユニットと、
前記塵埃除去ユニットを、前記エアフィルタの前後方向に移動させる移動手段と、
を備えた空気調和機の室内機において、
前記移動手段は、前記塵埃除去ユニットの長手方向の両端部夫々を、エアフィルタの前後方向に駆動させる移動手段であって、前記塵埃除去ユニットの一方側が移動している期間に、他方側が移動しないことで、前記塵埃除去ユニットの両端部における前後方向のずれを修正することを
特徴とする空気調和機の室内機。
【請求項２】
前記移動手段は、前記塵埃除去ユニットの長手方向両端の夫々に設けられ、前記塵埃除去ユニットに軸支されているピニオンギアと、
前記ピニオンギアに噛合い、前記エアフィルタの左右夫々の２辺に沿って設けられたラックギアとを備え、
前記塵埃除去ユニットが所定位置にある場合に、一方に設けられた前記ピニオンギアが空回りすることを特徴とする請求項１に記載の空気調和機の室内機。
【請求項３】
前記一方又は両方のピニオンギアには、一定以上のトルクが係った場合に、ピニオンギアが軸に対して、空回りすることを特徴とする請求項１に記載の空気調和機の室内機。
【請求項４】
前記塵埃除去ユニットが所定位置へ移動し、一定以上のトルクが加わった場合に、前記一端側のピニオンギアが、噛合わされている前記ラックギアに対して空回りすることを特徴とする請求項１に記載の空気調和機の室内機。
【発明の詳細な説明】
【技術分野】
【０００１】
本発明の実施の形態は、塵埃除去ユニットを備えた空気調和機の室内機に関する。
【背景技術】
【０００２】
従来、空気調和機の室内機には、室内熱交換器と、室内熱交換器に送風し熱交換を促進させるための送風機と、送風される空気に含まれる塵埃を集塵するためのエアフィルタが備えられている。また、エアフィルタに集塵された塵埃を除去するための塵埃除去ユニットが備えられている。
このような塵埃除去ユニットは、エアフィルタの風上側表面に、ブラシ等を当接させたまま移動させることで、エアフィルタに集塵された塵埃を除去するものが知られている。
【０００３】
上記塵埃除去ユニットをエアフィルタに沿って移動させる手段には種々のものがあり、例えば、塵埃除去ユニットの一端又は両端に駆動力を加える移動機構を設けるものが知られている。
【先行技術文献】
【特許文献】
【０００４】
【特許文献１】特開２０１０−１１２５９５号公報
【発明の概要】
【発明が解決しようとする課題】
【０００５】
しかし、塵埃除去ユニットの一端だけに駆動力を加えるものは、他端に駆動力が加わらないために、塵埃除去ユニットが傾き、移動がスムーズに行なわれなくなる問題があった。
また、両端に駆動力を加えるものについても、何らかの理由で塵埃除去ユニットが傾いた場合に、傾きを修正できず、塵埃除去ユニットの移動がスムーズに行かないという問題があった。
【課題を解決するための手段】
【０００６】
本発明の実施形態の空気調和機の室内機は、上記問題を解決するためになされたもので、室内の空気を吸込んで送風する送風機と、送風機の吸込み側に設けられ塵埃を集塵するための略矩形状のフレームを備えたエアフィルタと、エアフィルタの左右の向かい合う２辺に懸架された塵埃除去ユニットと、塵埃除去ユニットをエアフィルタの前後方向に往復移動させる移動手段を備えている。移動手段は、塵埃除去ユニットの長手方向の両端部夫々を駆動し、エアフィルタの前後方向に移動させる移動手段であって、一方が駆動している期間に、他方が駆動する、または、駆動しないことを特徴とする空気調和機の室内機。
【図面の簡単な説明】
【０００７】
【図１】第１の実施形態に係る空気調和機の室内機の断面図。
【図２】第１の実施形態に係る塵埃貯留容器の概略斜視図。
【図３】第１の実施形態に係る塵埃貯留容器の断面図。
【図４】第１の実施形態に係る塵埃除去ユニットの移動手段の上面図と斜視図。
【図５】第１の実施形態に係る空気調和機の制御器のブロック図。
【図６】第１の実施形態に係る塵埃除去運転中の動作を示す図。
【図７】第２の実施形態に係る遮蔽手段の下方斜視図（ａ）と塵埃除去ユニットとエアフィルタの上面斜視図（ｂ）。
【図８】第２の実施形態に係る塵埃除去ユニットおよび移動手段の上面図。
【図９】第２の実施形態に係る移動手段の部分を示す図。
【図１０】第２の実施形態に係る塵埃除去運転中の動作を示す図。
【図１１】本発明の実施形態に係るエアフィルタを傾けて設けた場合の概略図。
【発明を実施するための形態】
【０００８】
図１乃至図１０を用いて本発明の実施形態について説明を行う。
（第１の実施形態）
図１に、本実施形態の空気調和機の室内機１の断面の概略図を示す。
室内機１は壁掛け型や天井埋め込み型など種々の形態があるが、本実施形態では４方向天井埋め込み型の室内機について説明する。
【０００９】
室内機１は、ケーシング本体１１と、ケーシング本体１１下面を覆う化粧パネル１２を備えている。このケーシング本体１１内には、室内熱交換器１０５と、ドレンパン３８と、チャンバ３７と、送風機３９と、エアフィルタ４０と、塵埃除去ユニット５０が設けられている。また室内機１の運転を制御するための制御器１００（図５参照）が設けられている。この制御器１００には、使用者が空気調和機を操作するためのリモコン１０６が接続されている。
【００１０】
ケーシング本体１１は下部が開口した略直方体形状をしており、ケーシング本体１１の内面は、断熱材１７で覆われている。また、ケーシング本体１１は、設置される室内の天井板の開口に挿通した状態で設置され、天井裏の天井面から吊り下げ支持されるようになっている。
【００１１】
化粧パネル１２は、平面視で略矩形の板状に形成されており、ケーシング本体１１の下方を覆うように設けられる。ケーシング本体１１に取り付けられた化粧パネル１２は、室内機１が室内の天井Ａへ据付けられた状態において、室内側に露出するようになっている。
【００１２】
化粧パネル１２には、中央部に矩形状の吸込口２２が設けられており、吸込口２２には、複数のスリット状の通気口２９ａが形成された吸込グリル２９が嵌め込まれている。吸込口２２の周囲には、四方を取り囲むよう細長い矩形状の吹出口２３が設けられている。各吹出口２３には、風向調整板２３ａが設けられており、この風向調整板２３ａは、回動して風向（吹出方向）を調整するように構成されている。
【００１３】
ケーシング本体１１内の化粧パネル１２上方にはシール部材１９を挟んで、チャンバ３７が設けられている。チャンバ３７は、吸込口２２から吸込まれた空気を導通する吸込室３７ａと、吹出口から吹出す空気を導通する吹出室３７ｂを備えている。
【００１４】
チャンバ３７の吸込室３７ａ上部にはドレンパン３８が配置されており、ドレンパン３８は室内熱交換器１０５を支持している。
室内熱交換器１０５は、プレートフィンチューブ型熱交換器として形成されている。室内熱交換器１０５は、平面視でロ字状に形成され、室内機１内の中央部に位置する送風機３９を囲むように配置されている。室内熱交換器１０５では、送風機３９によって送られる室内空気と室内熱交換器１０５内を流通する冷媒との間で熱交換が行われる。
【００１５】
ドレンパン３８は、室内熱交換器１０５の下側に平面視で環状に設けられており、室内熱交換器１０５において空気中の水分が凝縮して生じるドレン水を受けるように形成されている。ドレンパン３８には、ドレン水を排水するための図示しないドレンポンプが設けられている。ドレンパン３８は、ドレンポンプを設置した箇所にドレン水が集まるように勾配がつけられている。
【００１６】
送風機３９は、ファンモータ３９ａと羽根車３９ｂとで構成されている。送風機３９の下方には、吸込口２２に連通するようにベルマウス２５が設けられており、ケーシング本体１１の中央付近に配置されている。ファンモータ３９ａは、ケーシング本体１１の天板に固定されている。羽根車３９ｂは、いわゆるターボファンであり、吸込口２２からベルマウス２５を介して、回転軸方向に吸込んだ空気を回転半径方向へ吹出すものであり、ファンモータ３９ａの回転軸に連結されている。
【００１７】
吸込口２２とベルマウス２５の間には、室内空気中に含まれる塵埃を捕捉するためのエアフィルタ４０が設けられている。エアフィルタ４０は、樹脂により形成された格子状のフレーム４１内に繊維シートが溶着されて構成されている。
【００１８】
エアフィルタ４０の下面側には、エアフィルタ４０で集塵された塵埃を除去するための塵埃除去ユニット５０が設けられている。
塵埃除去ユニット５０は、エアフィルタ４０の吸込み側に当接する回転ブラシ５１と、回転ブラシ５１を回転させるブラシ駆動モータ１０３（図２参照）を備えており、回転ブラシ５１の下方に塵埃貯留容器６０と、エアフィルタ４０を挟んで回転ブラシ５１の上方に位置する遮蔽手段７０を備えている。
【００１９】
図２に塵埃除去ユニット５０の回転ブラシ５１と塵埃貯留容器６０の概略斜視図を示し、図３にエアフィルタ４０のフレーム４１と、塵埃除去ユニット５０の断面概略図を示す。
【００２０】
図２に示すように、フレーム４１は、前後方向へ伸びる格子を有し、前方端部には、
回転ブラシ５１は、ブラシ駆動モータ１０３に連結された棒状のシャフト部５１ａと、シャフト部５１ａ周囲に設けられた複数の植毛からなるブラシ部５１ｂとで構成されている。
回転ブラシ５１の軸方向長さ寸法は、エアフィルタ４０の左右方向の長さ寸法Ｍと略同一であり、回転ブラシ５１は、エアフィルタ４０の下面に当接して、左右方向に懸架されるように設けられている。
【００２１】
また、塵埃貯留容器６０は塵埃収集口６０ａと貯留容器６０ｂと櫛部６２（図３参照）を有しており、回転ブラシ５１同様に、エアフィルタ４０を左右方向に横断するように長さ寸法Ｍと略同一の長さ寸法に形成されている。
【００２２】
図３に示すように、塵埃収集口６０ａの断面形状は、回転ブラシ５１の下方を囲むように逆八字状の口部を有して形成されている。
塵埃貯留容器６０の内部には、回転ブラシ５１に付着した塵埃を除去するための櫛部６２が設けられている。この櫛部６２はブラシ部５１ｂの下方に当接して設けられており、回転ブラシ５１の回転に伴いブラシ部５１ｂを梳くようになっている。
【００２３】
エアフィルタ４０の上面側には、エアフィルタ４０を左右へ横断する平板状の遮蔽手段７０が設けられている。
遮蔽手段７０の前後方向（回転ブラシ５１の軸方向と直交する方向）の幅寸法Lは、回転ブラシ５１の直径Ｒと塵埃貯留容器６０の塵埃収集口６０ａの上端開口部の前後方向幅寸法Ｎａよりも大きく、貯留容器６０ｂの前後方向幅寸法Ｎｂよりも小さいか、又は略同一に形成されている。
【００２４】
遮蔽手段７０は上述の幅寸法Ｌを有することで、冷房運転又は暖房運転中のように送風機３９による送風がなされている場合において、塵埃除去ユニット５０の回転ブラシ５１への通風を遮断する遮蔽手段として機能する。
【００２５】
また、この遮蔽手段７０は、エアフィルタ４０を挟んで回転ブラシ５１の直上に平行に、かつ、エアフィルタ４０を回転ブラシ５１に押付けるようにして配置されている。これにより、エアフィルタ４０に付着した塵埃を回転ブラシ５１のブラシ部５１ｂによって確実に且つ効率良く除去することができる。
ここで、遮蔽手段７０は、エアフィルタ４０を回転ブラシ５１に当接させ、回転ブラシ５１への通風を遮断することができれば種々の形状、形態を用いて良い。
【００２６】
エアフィルタ４０及び塵埃除去ユニット５０は、略矩形状の枠体２００によって支持されている。枠体２００は、チャンバ３７の吸込室３７ａに配置されている。枠体２００の中央には、吸込口２２から吸込まれた空気をエアフィルタ４０へ送るために、フレーム４１よりも一回り小さい略矩形状の貫通孔が設けられている。
移動手段８０は、塵埃除去ユニット５０を枠体２００に沿って、エアフィルタ４０の前後方向へ往復移動させる機能を有する。
図４にエアフィルタ４０と塵埃除去ユニット５０と移動手段８０の上面図と斜視図を示す。
【００２７】
移動手段８０は、枠体２００の左右両辺の外側に沿って設けられたラックギア８３Ｌ、８３Ｒと、塵埃除去ユニット５０の左右両端の夫々に設けられたピニオンギア８２Ｌ、８２Ｒを有している。
ピニオンギア８２Ｌ、８２Ｒは連動シャフト８１により連動可能に接続され、塵埃除去ユニット５０に軸支されている。さらに、連動シャフト８１の左のピニオンギア８２Ｌ側には、連動シャフト８１を回転駆動させるための移動用モータ８５が設けられている。
【００２８】
このピニオンギア８２L、８２Rと、ラックギア８３L、８３Rは枠体２００の外側に配置され、噛合っており、エアフィルタ４０の塵埃が脱落しても、ギアに付着しないようになっている。
なお、この移動用モータ８５の回転軸は、連動シャフト８１を回転駆動させるために、連動シャフト８１に直接連結されても良く、連動シャフト８１に固定されたギアを別途設けて、ギアを介して駆動されるようにしても良い。
【００２９】
上記のように移動手段８０が構成されることで、移動用モータ８５が駆動すると、連動シャフト８１及びピニオンギア８２Ｌ、８２Ｒが回転し、ラックギア８３Ｌ、８３Ｒに沿って移動する。これにより、塵埃除去ユニット５０全体がエアフィルタ４０の前後方向へ移動する。
さらに、ラックギア８３Ｌ、８３Ｒの前方側には、ピニオンギア８２Ｌ、８２Ｒが初期位置から、それ以上進まないようにするための係止部８４Ｌ、８４Ｒが設けられている。
【００３０】
さらに、ピニオンギア８２Ｌ、８２Ｒにはトルクリミッタ８６が設けられており、連動シャフト８１の回転中にピニオンギア８２Ｌ、８２Ｒに一定以上の負荷が加わると、連動シャフト８１が空回りするようになっている。トルクリミッタ８６は、コイルスプリング方式やパウダー方式等、種々のものを用いてよい。
【００３１】
エアフィルタ４０の左右に設けられたラックギア８３Ｌ、８３Ｒの前側部には、初期位置センサ１０１Ｌ、１０１Ｒが設けられており、エアフィルタ４０の後側部には反転用センサ１０２が設けられている。
これら、初期位置センサ１０１Ｌ、１０１Ｒ及び反転用センサ１０２は、制御器１００に接続されており（図５参照）、塵埃除去ユニット５０が、どの位置にあるかを検知する。これらセンサ類には、リミットスイッチや赤外線センサなど種々の位置センサを用いて良いが、本実施形態においては、磁気センサを用いる。このように、初期位置センサ及び反転用センサに磁気センサを用いることで、各センサの検出部に細かな塵埃が堆積した場合においても誤検知することがなく、位置検出センサとしての機能を失うことがない。
【００３２】
以上のように、移動手段８０と塵埃除去ユニット５０はエアフィルタ４０の前後方向に往復移動することができる。
【００３３】
上述した構成を有する室内機１の運転状況について説明する。
冷房運転又は暖房運転が行われると、送風機３９のファンモータ３９ａが駆動し羽根車３９ｂが回転する。そして、吸込口２２から塵埃を含む室内空気が吸込まれ、エアフィルタ４０の下面から上面へと通り抜ける。このとき、室内空気に含まれる塵埃がエアフィルタ４０下面に付着する。室内空気は、ベルマウス２５と羽根車３９ｂを介して室内熱交換器１０５に送られる。室内熱交換器１０５で熱交換された後、室内空気は室内パネル１２の吹出し口２３を介して室内に吹出される。
【００３４】
上述のように送風機３９により送風が行われている冷房運転又は暖房運転中において、定期的にエアフィルタ４０の塵埃除去運転が行われる。
【００３５】
塵埃除去運転について図５及び図６を用いて説明する。
図５に室内機１の制御器１００のブロック図を示す。制御器１００は室内機１の暖房運転及び冷房運転と、フィルタ清掃運転の運転制御を行うものである。
制御器１００には、操作部であるリモコン１０６と、初期位置センサ１０１Ｌ、１０１Ｒ及び反転センサ１０２と、ブラシ駆動モータ１０３及び移動用モータ８５と、送風機３９のファンモータ３９ａと、計時手段であるタイマ１０７が接続されている。
【００３６】
制御器１００によるフィルタ清掃運転の動作について図６を用いて説明する。
【００３７】
タイマ１０７により、暖房又は冷房運転中に送風機３９のファンモータ３９ａが所定時間駆動したことが検知されると、移動手段８０の移動用モータ８５が駆動され、塵埃除去運転が開始される。
【００３８】
初期状態（図６（ａ））において、塵埃除去ユニット５０はエアフィルタ４０の前方端部の初期位置に位置しており、初期位置センサ１０１Ｌ、１０１Ｒによって検知される。
【００３９】
制御器１００の指令により塵埃除去運転が開始されると、移動用モータ８５が駆動され、ブラシ駆動モータ１０３が回転される。これにより、移動手段８０によって塵埃除去ユニット５０がエアフィルタ４０の後方へ向かって往移動（図６（ｂ））し、エアフィルタ４０下面に当接した回転ブラシ５１がエアフィルタ４０を巻き込むように回転する。これにより、エアフィルタ４０下面に付着した塵埃は回転ブラシ５１のブラシ部５１ｂに絡めとられる。
【００４０】
ブラシ部５１ｂに絡めとられた塵埃は、櫛部６２によって取除かれ、塵埃貯留容器６０内へ落下し貯留される。
【００４１】
塵埃除去ユニット５０がエアフィルタ４０の後方端部に到達すると、反転用センサ１０２により検知され、制御器１００の指令により回転ブラシ５１の回転及び移動手段８０は一旦停止する。
【００４２】
その後、制御器１００の指令により、移動用モータ８５が反対方向に駆動され、移動手段８０によって塵埃除去ユニット５０がエアフィルタ４０の前方へ向かって復移動（図６（ｄ））する。さらに、ブラシ駆動モータ１０３が逆回転され、回転ブラシ５１がエアフィルタ４０を巻き込むように回転する。そして、往移動時と同様にエアフィルタ４０の下面に付着した塵埃をブラシ部５１ｂに絡めとり、塵埃貯留容器６０内へ貯留される。
【００４３】
復移動後（図６（ｅ））、塵埃除去ユニット５０が初期位置へ戻ると初期位置センサ１０１Ｌ、１０１Ｒに検知され、制御器１００の指令により移動用モータ８５が停止され、移動手段８０が停止する。その後、回転ブラシ５１は一定時間回転し続け、ブラシ部５１ｂに付着した塵埃を除去する。
ここで、塵埃除去ユニット５０の往復移動中に、右側のピニオンギア８２Ｒとラックギア８３Ｒがずれて、左側のピニオンギア８２Ｌとの移動距離に差が生じた場合について説明する。
左側のピニオンギア８２Ｌが、右側のピニオンギア８２Ｒよりも先に初期位置に到達した場合、左側のピニオンギア８２Ｌは係止部８４Ｌにより回転が強制的に停止され、トルクリミッタの所定トルクを超えた力が加わることで、連結シャフト８１に対し、相対的に空回りする。そして、ラックギア８３Ｌに対してピニオンギア８２Ｌが停止している期間に、右側のピニオンギア８２Ｒは回転し続け、初期位置まで移動する。ピニオンギア８２Ｒが初期位置へ移動し終えると、初期位置センサ１０１Ｒから制御器１００へ検知信号が送られ、制御器１００により移動手段８０が停止される。
右側のピニオンギア８２Ｒが、先に初期位置に到達した場合には上記説明と左右対称に動作する。
【００４４】
以上のような塵埃除去運転は、冷房又は暖房運転中に所定時間毎に行われる。
また、冷房又は暖房運転中でない場合でも、使用者がリモコン１０６を操作することで、塵埃除去運転を行うことが出来る。この場合、室内熱交換器１０５での熱交換は行われず、上記図６（ａ）乃至（ｅ）を用いて説明した動作により塵埃除去運転が行われる。
制御部１００は、初期位置センサ１０１Ｌ、１０１Ｒ及び反転用センサ１０２により清掃ユニットが移動した回数をカウントしており、この清掃ユニットが移動した回数をもとにして、塵埃貯留容器６０に堆積した塵埃の量を推定し、制御器１００や、操作部への表示等を行なう。
【００４５】
本実施形態の空気調和機の室内機１は、塵埃除去運転中において、塵埃除去ユニット５０の長手方向両端部の進度が、何らかの理由でずれてしまい、初期位置に戻った際に前後に傾いてしまった場合においても、先に初期位置に到達した端部の進行を停止させ、遅れている端部を移動させることにより、塵埃除去ユニット５０を平行にすることができ、次回の塵埃除去運転をスムーズに行なうことができる。さらに、ピニオンギア８２Ｌ、８２Ｒにトルクリミッタ８６を設けて、初期位置での連動シャフト８１に対して空回りさせ、その間に他方のピニオンギア８２Ｌ、８２Ｒを回転駆動させて、塵埃除去ユニット５０の両端を初期位置に戻すことで、両端に独立した制御手段や、独立した駆動部品を用いることなく安価で、安定した塵埃除去運転を行なうことができる空気調和機の室内機１を提供することができる。
特に、エアフィルタ４０を遮蔽手段７０により、回転ブラシ５１へ押圧し、塵埃除去ユニット５０に設けられたピニオンギア８２Ｌ、８２Ｒが、連動シャフト８１ごと下方への力を受け、ピニオンギア８２がラックギア８３からずれやすくなっている場合にも効果的である。
さらに、塵埃除去ユニット５０の上部に遮蔽手段７０を設けることで、送風機３９の運転中であっても塵埃除去ユニット５０をさけて風が流れるので、送風の影響を受けることなくエアフィルタ４０に付着した塵埃を効率よく除去することができる。
【００４６】
また、塵埃除去ユニット６０がエアフィルタ４０を押圧し、遮蔽手段７０へ押しあてられる。
これにより、回転ブラシ５１がエアフィルタ４０に確実に接触し、エアフィルタ４０に付着した塵埃を確実に掻き落とすことができる。また、塵埃除去ユニット５０をエアフィルタ４０に強く押圧した場合でも、遮蔽手段７０により反対側から押圧することでエアフィルタ４０の樹脂性の枠から繊維シートが剥離するのを防ぐことができる。
【００４７】
上述のように、長時間の連続運転を行い、塵埃の付着量が大量となった空気調和機の室内機１において、送風機３９による送風が行われている冷房、暖房運転中においても、塵埃除去運転を行うことができ、エアフィルタ４０の塵埃詰りによる空気調和機の性能低下を抑えることができる。
【００４８】
また、塵埃除去運転によりエアフィルタ４０から除去され塵埃貯留容器６０からこぼれ落ちた塵埃は、送風機３９の送風により吸上げられ、室内へ落下することがなく、次に行われる塵埃除去運転にて除去される。
【００４９】
（第２の実施形態）
次に第２の実施形態について図７乃至図１０を用いて説明する。なお、第１の実施形態と同様の構成については同じ符号を用いて説明を行う。
本第２の実施形態の室内機１は、第１の実施形態の室内機１と同様に、ケーシング本体１１と室内熱交換機１０５と送風機３９とエアフィルタ４０と塵埃除去ユニット５０と移動手段８０を有しており、異なる構成として遮蔽手段７０と、塵埃除去ユニット５０の移動手段８０を有している。
【００５０】
第２の実施形態における遮蔽手段７０は、塵埃除去ユニット５０の回転ブラシ５１への送風を一部遮断するものである。
【００５１】
図７（ａ）に遮蔽手段７０と緩衝材７０ａの下方斜視図を示し、図７（ｂ）にエアフィルタ４０と塵埃除去ユニット５０の塵埃貯留容器６０と遮蔽手段７０の斜視図を示す。
【００５２】
図７（ａ）に示すように遮蔽手段７０は、エアフィルタ４０と略同一の左右方向長さＭを有し、前後方向長さ寸法Ｌを有する矩形平板状に形成されている。また、遮蔽手段７０の下面には、前後方向の中央部（図７（ｂ）での回転ブラシ５１の回転軸直上）から後方端部にかけてエアフィルタ４０と接触する緩衝材７０ａが下方に突出して設けられている。
また、図７（ｂ）に示すように、幅方向中央（回転ブラシ５１の回転軸直上）から前方側の他端にかけては、エアフィルタ４０と遮蔽手段７０との間に隙間ができるため、送風機３９の送風により空気の流れが生じるようになっている。
【００５３】
これにより、送風機３９が送風を行っている状態において、遮蔽手段７０の前方側は隙間により送風が遮断されず通風され、後方側は緩衝材７０ａによって送風が遮断される。
これにより、塵埃除去ユニット５０の回転ブラシ５１の中央から遮蔽手段７０の隙間に面する部分には送風され、中央から緩衝材７０ａに面する部分には送風されない。
【００５４】
次に、塵埃除去ユニット５０の移動手段８０について、図８及び図９（ａ）、（ｂ）を用いて説明する。
図８に示すように、エアフィルタ４０、塵埃除去装置５０は、第１の実施形態と同様にピニオンギア８２Ｌ、８２Ｒと、ラックギア８３Ｌ、８３Ｒを有する移動手段８０を備えており、同時に前後方向に往復移動可能となっている。ここで、第１の実施形態と異なる構成として、第２の実施形態に用いられるピニオンギア８２Ｌ、８２Ｒには、トルクリミッタは用いられておらず、連動シャフト８１に固定されている。
図９（ａ）にラックギア８３Ｌ、８３Ｒの前方側端部８３ｆ、８３ｆ（塵埃除去ユニット５０が初期位置にある場合にピニオンギア８２Ｌ、８２Ｒが噛合う部分）の拡大図を示す。ラックギア８３Ｌ、８３Ｒの前方側端部８３ｆ、８３ｆ部分では、歯の全歯たけが他の部分より短く形成されており、他の部分よりも上下方向に、たわむように形成されている。これにより、噛合うピニオンギア８２Ｌ、８２Ｒがラックギア８３Ｌ、８３Ｒの前方側端部８３ｆ、８３ｆ付近に到達した場合に、塵埃除去ユニット５０が移動するのに必要以上のトルクが加わると、ピニオンギア８２Ｌ、８２Ｒとラックギア８３Ｌ、８３Ｒとの噛合いがずれて、ピニオンギア８２Ｌ、８２Ｒが空回りするようになっている。
すなわち、塵埃除去ユニット５０が往復移動中に、何らかの理由で左右のピニオンギア８２Ｌ、８２Ｒの進度にずれが生じた場合でも、塵埃除去ユニット５０の端部のうち、先に初期位置へ到達した方は係止部８４Ｌ、８４Ｒにより進行が妨げられ、ピニオンギアは空回りする。
また、上記のようにラックギア８３Ｌ、８３Ｒの前方側端部８３ｆ、８３ｆの歯の全歯たけを小さくする以外にも、図９（ｂ）のように、歯の前方側歯面の傾斜（圧力角）を後方側よりも大きくしても良い。
【００５５】
塵埃除去運転の動作について図１０を用いて説明する。
冷房運転又は暖房運転中のように送風機３９により送風されている状態で塵埃除去運転が開始される。
【００５６】
初期状態（図１０（ａ））において、塵埃除去ユニット５０はエアフィルタ４０の前方端部に位置しており、初期位置センサ１０１Ｌ、１０１Ｒによって検知される。
【００５７】
制御器１００の指令により塵埃除去運転が開始されると、移動用モータ８５が駆動され、ブラシ駆動モータ１０３が回転される。これにより、移動手段８０によって塵埃除去ユニット５０がエアフィルタ４０の後方へ向かって往移動（図１０（ｂ））し、エアフィルタ４０下面に当接した回転ブラシ５１がエアフィルタ４０を巻き込むように回転する。これにより、エアフィルタ４０下面に付着した塵埃は回転ブラシ５１のブラシ部５１ｂに絡めとられる。
この時、遮蔽手段７０の幅方向他端に設けられた隙間の負圧によって流れる空気流により、回転ブラシ５１の中心付近に付着した塵埃が、表面に吸い出され、櫛部６２によって塵埃貯留容器６０に回収される、又は脱落しエアフィルタ４０下部に付着する。
ブラシ部５１ｂに絡めとられた塵埃は、櫛部６２によって取除かれ、塵埃貯留容器６０内へ落下し貯留される。
【００５８】
塵埃除去ユニット５０がエアフィルタ４０の後方端部に到達すると、反転用センサ１０２により検知され、制御器１００の指令により回転ブラシ５１の回転及び移動手段８０は一旦停止する。
【００５９】
その後、制御器１００の指令により、移動用モータ８５が反対方向に駆動され、移動手段８０によって塵埃除去ユニット５０がエアフィルタ４０の前方へ向かって復移動（図１０（ｄ））する。さらに、ブラシ駆動モータ１０３が逆回転され、回転ブラシ５１がエアフィルタを巻き込むように回転する。
そして、エアフィルタ４０の下面に付着した塵埃をブラシ部５１ｂに絡めとり、塵埃貯留容器６０内へ貯留する。
【００６０】
復移動後（図１０（ｅ））、塵埃除去ユニット５０と塵埃貯留容器６０及び遮蔽手段７０が初期位置へ戻ると初期位置センサ１０１Ｌ、１０１Ｒに検知され、制御器１００の指令により移動用モータ８５が停止され、移動手段８０が停止する。その後、回転ブラシ５１は一定時間回転し続け、ブラシ部５１ｂに付着した塵埃を除去する。
ここで、塵埃除去ユニット５０の往復移動中に、右側のピニオンギア８２Ｒとラックギア８３Ｒがずれて、左側のピニオンギア８２Ｌとの移動距離に差が生じた場合について説明する。
左側のピニオンギア８２Ｌが、右側のピニオンギア８２Ｒよりも先に初期位置に到達した場合、左側のピニオンギア８２Ｌは係止部８４Ｌにより進行が強制的に停止され、塵埃除去ユニット５０が移動するのに必要なトルクを超えた力が加わる。これにより、ピニオンギア８２Ｌからラックギア８３Ｌがずれるように動作し、ピニオンギア８３Ｌはそのままの位置で空回りする。この間に、右側のピニオンギア８２Ｒは回転し、ラックギア８３Ｒに沿って、初期位置まで移動する。右側のピニオンギア８２Ｒが初期位置へ移動し終えると、初期位置センサ１０１Ｒにより検知され、制御器１００の指令により移動手段８０が停止する。
右側のピニオンギア８２Ｒが先に初期位置に到達した場合には、上記説明と左右対称の動作が行なわれる。
【００６１】
以上のような塵埃除去運転は、冷房又は暖房運転中に所定時間毎に行われる。
また、冷房又は暖房中でない場合に、使用者がリモコン１０６を操作することで、塵埃除去運転を行うことも出来る。この場合、室内熱交換器での熱交換は行われず、送風機３９のファンモータ３９ａを駆動し、上記図１０（ａ）乃至（ｅ）を用いて説明した動作により塵埃除去運転が行われる。
本実施形態の空気調和機の室内機１は、塵埃除去運転中において、塵埃除去ユニット５０の長手方向両端部の進度が、何らかの理由でずれてしまい、初期位置に戻った際に前後に傾いてしまった場合においても、先に初期位置に到達した端部の進行を停止させ、遅れている端部を移動させることにより、塵埃除去ユニット５０を平行にすることができ、次回の塵埃除去運転をスムーズに行なうことができる。さらに、一方のピニオンギアに設けられたトルクリミッタが、初期位置での連動シャフトに対して空回りして、その間に他方のピニオンギアを回転駆動させて、塵埃除去ユニット５０の両端を初期位置に戻すことで、両端に独立した制御手段や余分な部品を用いることなく安価で、安定した塵埃除去運転を行なうことができる空気調和機の室内機１を提供することができる。
【００６２】
上述のように、本実施形態のような塵埃除去運転において、塵埃除去ユニット５０がエアフィルタ４０の前側部から後側部へ往移動すると、送風機３９の送風により、回転ブラシ５１に風が当たり、回転ブラシ５１に付着した塵埃が離脱し易くなり、効率よく櫛部６２に塵埃が梳き取られる。復移動において、エアフィルタ４０に付着した塵埃を効率よく回転ブラシ５１により除去することができる。これにより、回転ブラシ５１に塵埃が堆積することなく、回転ブラシ５１の塵埃を捕捉する性能を低下させずにエアフィルタ４０の塵埃詰りを防止し、送風効率の低下しない室内機１を提供することができる。
【００６３】
なお、第２の実施形態では、移動用モータ８５が連動シャフト８１を回転駆動させるもの構成となっているが、連動シャフト８１に固定された左右どちらかのピニオンギアを回転駆動させるようにしても良い。
第１及び第２の実施形態に係る空気調和機の室内機１は４方向天井埋め込み型に係らず、送風機による送風を行いつつエアフィルタの塵埃除去運転が可能な種々の形態に応用してよい。例えば、壁掛け型の室内機においては図１０に示すように、エアフィルタ４０と塵埃除去ユニット５０と遮蔽手段７０を水平方向に対して傾ける、又は、９０°回転して設置しても良い。この場合、塵埃貯留容器６０と塵埃収集口６０ａは塵埃を回収できる範囲で種々の形態を用いて良い。また、櫛部６２は回転ブラシ５１の塵埃を除去し易い形態や配置を用いて良い。
【００６４】
遮蔽手段７０は、第１、第２の実施形態において夫々異なる構成を有するものを用いたが、各実施形態に固有の構成に限定されるものではない。
また、第１、第２の実施形態では、左右のピニオンギアは初期位置においてのみ、進度のずれを修正する構成として説明したが、これに限らず、反転位置やそれ以外の位置においても、進度のずれを修正するようにしても良い。
本発明は、上記実施形態に限定されない。さらに、本発明の実施の形態に開示されている複数の構成要素を適宜組み合わせることにより種々の発明を形成できる。例えば、本発明の実施の形態に示される全構成要素から幾つかの構成要素を削除してもよい。更に、異なる実施の形態に亘る構成要素を適宜組み合わせてもよい。
【符号の説明】
【００６５】
１…室内機、１１…ケーシング本体、１２…化粧パネル、２２…吸込口、２３…吹出口、２３ａ…風向調整板、２５…ベルマウス、３７…チャンバ、３９…送風機、３９ａ…ファンモータ、３９ｂ…羽根車、４０…エアフィルタ、５０…塵埃除去ユニット、５１…回転ブラシ、６０…塵埃貯留容器、６２…櫛部、７０…遮蔽手段、８０…移動機構、１００…制御器、１０１…初期位置センサ、１０２…反転用センサ、１０３…ブラシ駆動モータ、１０５…室内熱交換機、１０６…リモコン、１０７…タイマ、２００…枠体
【図１】
2013213604.tif 000003
【図２】
2013213604.tif 000004
【図３】
2013213604.tif 000005
【図４】
2013213604.tif 000006
【図５】
2013213604.tif 000007
【図６】
2013213604.tif 000008
【図７】
2013213604.tif 000009
【図８】
2013213604.tif 000010
【図９】
2013213604.tif 000011
【図１０】
2013213604.tif 000012
【図１１】
2013213604.tif 000013